(57)【要約】【課題】レンズを取り外して取り換えることが可能なゴーグルの構造を提供する。【解決手段】主にフレーム、軟質素材のパッド、レンズを具有するアイカップにより構成し、アイカップをフレームへ設け、その両側へヘッドバンドを設け、軟質素材のパッドはアイカップに結合し、クッション部は使用者の顔部（その範囲は両眼、又は鼻、口を含む）を覆い、上述の構造の特徴はアイカップ上のレンズは取り外して取り換えることが可能であり、異なる状況、目的によって適応するレンズを使用することが可能となるゴーグルである。【選択図】    図  ２【実用新案登録請求の範囲】
【請求項１】
両端にアームを設けてヘッドバンドを取り付けるフレームと、パッド上に設け、レンズを取り付ける少なくとも一つのアイカップと、アイカップに設ける少なくとも一つのパッドとからなるゴーグルの主構造であって、
フレームとパッド間にアイカップを設け、アイカップ上にレンズを取り付け、該レンズは取り外して取り替えることが可能であることを特徴とするゴーグルの構造。
【請求項２】
前記アイカップ上にレンズを挟合する部材を設け、レンズを安定してアイカップ上へ設けることを特徴とする請求項１に記載のゴーグルの構造。
【請求項３】
前記レンズの外縁へラバー素材の層又はライナーを設けることを特徴とする請求項１に記載のゴーグルの構造
【請求項４】
前記アイカップの外縁へラバー素材の層又はライナーを設けることを特徴とする請求項１に記載のゴーグルの構造。
【請求項５】
前記アイカップ上にとめ具を設け、レンズを溝上に挟合することを特徴とする請求項１に記載のゴーグルの構造。
【請求項６】
前記アイカップとレンズの結合位置は斜面を呈すことを特徴とする請求項１に記載のゴーグルの構造。
【請求項７】
パッド上に設け、レンズを取り付ける少なくとも一つのアイカップ、該アイカップの両側に設けたアームにヘッドバンドを取り付ける軟質素材のパッドを具有し、
パッド上にアイカップを設け、アイカップ上にレンズを取り付け、該レンズは取り外して取り替えることが可能であることを特徴とするゴーグルの構造。
【請求項８】
前記アイカップ上にレンズを挟合する部材を設け、レンズを安定してアイカップ上へ設けることを特徴とする請求項７に記載のゴーグルの構造。
【請求項９】
前記レンズの外縁へラバー素材の層又はライナーを設けることを特徴とする請求項７に記載のゴーグルの構造。
【請求項１０】
前記アイカップ上の外縁へラバー素材の層又はライナーを設けることを特徴とする請求項７に記載のゴーグルの構造。
【請求項１１】
前記アイカップ上にとめ具を設け、レンズを溝上に挟合することを特徴とする請求項７に記載のゴーグルの構造。
【請求項１２】
前記アイカップとレンズの結合位置は斜面を呈すことを特徴とする請求項７に記載のゴーグルの構造。
【考案の詳細な説明】
【技術分野】
【０００１】
本考案は、特に軟質素材のパッドを具有する水泳用ゴーグル又は水中ゴーグルに係り、特徴はアイカップ上のレンズを取り外して取り換えることが可能なゴーグルの構造に関わる。
【背景技術】
【０００２】
主にゴーグルはレンズ、軟質素材のパッド及び硬質素材のフレームなどにより構成し、水泳用又は水中用、潜水用、スポーツ用、目を保護するために用いられる。
公知のゴーグルのレンズは、例えば、特許文献１に開示されているように、固定式であり、フレーム上に（又は軟質素材のパッドの上に）固定して設けられており、取り外すことは不可能であるゴーグルが頻繁に使用されているのが現状である。
ゴーグルのレンズは例えば、使用者の眼の状況（近視、遠視又はその他）又環境の光線の強度により、使用者自身又は環境条件の変化により変える必要があり、そのためには特別にオーダーしてゴーグルを製造する以外にシール等の方法により上記目的を達成する
【０００３】
ゴーグルには大きく分けて2種類あり、その一つは、主フレーム及び副フレームは共同で軟質素材のパッド及びレンズを挟合し、主フレーム又は副フレームの両側にはヘッドバンドを設ける。
もう一つは、軟質素材のパッドに直接レンズを覆着し、レンズに近い位置のパッドの両側へヘッドバンドを設けるものがある。
上述の二種類の方法は基本的にレンズを取り外して取り換えるようなデザインは考慮されておらず、レンズを取り換えることは困難である。
【特許文献１】実公平６−５８１８号公報
【考案の開示】
【考案が解決しようとする課題】
【０００４】
上述公知の構造の欠点を解決するため、主に本考案はフレーム、軟質素材のパッド、少なくとも一つのレンズを設けるアイカップにより構成し、該アイカップ上のレンズは取り外して取り替えることが可能なゴーグルの構造を提供することを課題とする。
【課題を解決するための手段】
【０００５】
上記課題を解決するため、請求項１の考案は、両端にアームを設けてヘッドバンドを取り付けるフレームと、パッド上に設け、レンズを取り付ける少なくとも一つのアイカップと、アイカップに設ける少なくとも一つのパッドとからなるゴーグルの主構造であって、フレームとパッド間にアイカップを設け、アイカップ上にレンズを取り付け、該レンズは取り外して取り替えることが可能であることを特徴とするゴーグルの構造である。
請求項２の考案は、前記アイカップ上にレンズを挟合する部材を設け、レンズを安定してアイカップ上へ設けることを特徴とする請求項１に記載のゴーグルの構造である。
請求項３の考案は、前記レンズの外縁へラバー素材の層又はライナーを設けることを特徴とする請求項１に記載のゴーグルの構造である。
請求項４の考案は、前記アイカップの外縁へラバー素材の層又はライナーを設けることを特徴とする請求項１に記載のゴーグルの構造である。
請求項５の考案は、前記アイカップ上にとめ具を設け、レンズを溝上に挟合することを特徴とする請求項１に記載のゴーグルの構造である。
請求項６の考案は、前記アイカップとレンズの結合位置は斜面を呈すことを特徴とする請求項１に記載のゴーグルの構造である。
請求項７の考案は、パッド上に設け、レンズを取り付ける少なくとも一つのアイカップ、該アイカップの両側に設けたアームにヘッドバンドを取り付ける軟質素材のパッドを具有し、パッド上にアイカップを設け、アイカップ上にレンズを取り付け、該レンズは取り外して取り替えることが可能であることを特徴とするゴーグルの構造である。
請求項８の考案は、前記アイカップ上にレンズを挟合する部材を設け、レンズを安定してアイカップ上へ設けることを特徴とする請求項７に記載のゴーグルの構造である。
請求項９の考案は、前記レンズの外縁へラバー素材の層又はライナーを設けることを特徴とする請求項７に記載のゴーグルの構造である。
請求項１０の考案は、前記アイカップ上の外縁へラバー素材の層又はライナーを設けることを特徴とする請求項７に記載のゴーグルの構造である。
請求項１１の考案は、前記アイカップ上にとめ具を設け、レンズを溝上に挟合することを特徴とする請求項７に記載のゴーグルの構造である。
請求項１２の考案は、前記アイカップとレンズの結合位置は斜面を呈すことを特徴とする請求項７に記載のゴーグルの構造である。
【０００６】
すなわち、上記各考案は、主に本考案はフレーム、軟質素材のパッド、少なくとも一つのレンズを取り付けるアイカップにより構成し、該アイカップはレンズを取り付ける溝を具有し、アイカップ上にとめ具を設け、該とめ具はレンズを取り付ける溝の上へ設けるもので、この種のとめ具でレンズを挟合することは本考案の実施例に限られた構造ではない。
また、本考案のレンズとレンズを取り付ける溝の間に防水ライナーを設け、本考案のレンズと溝の接触する位置へ密閉する物質（例えば、ラバー類など）を設ける又は塗り、漏水防止となる。
【０００７】
本考案を更に進歩させて、軟質素材のパッドでアイカップを覆う設計を運用し、アイカップ上にレンズ及び相関するとめ具を設け、ヘッドベルトを軟質素材のパッド両側に設け、これにより、本考案のフレーム部分のない構成となる。また、アイカップ上に取り外して取り替えることが可能なレンズを安定して設ける作用を有する。
【考案の効果】
【０００８】
本考案によれば、レンズを取り外して取り替えることが可能なゴーグルの目的を達成することができるという効果を有する。
【考案を実施するための最良の形態】
【０００９】
本考案の実施例を図に沿って説明すれば、図１、２に示すように、本考案の実施例は、主にフレーム１０、アイカップ２０、パッド３０、ヘッドベルト４０などにより構成され、該アイカップ２０上にレンズ５０及び挟合部材６０を設ける。
該フレーム１０は、一基本骨組みであり、二つのフレーム部１１を具有し、両フレーム部１１間に鼻ベルト１２を設け、二つのフレーム部１１内はそれぞれ貫通する開口部１３を具有しており、該フレーム１０の両側へアーム１４を設け、該アーム１４とヘッドベルト４０の両側に具有するバックル４１はヘッドベルト４０をフレーム１０上に結合し、ヘッドベルト４０はきつさを調整することができるものである。
上述のヘッドベルト４０はフレーム１０の公知の構造と結合し、その結合構造及び相関する調整部材は図に示す構造の限りではない。
【００１０】
アイカップ２０は一安定した固定を提供する骨組みであり、安定してレンズ５０を設け、とめ具６０などの挟合する部材によりレンズ５０を挟合し、レンズ５０は安定してアイカップ２０上に取り付けられる。
アイカップ２０の構成は、本体２１を含み、本体２１は貫通する開口部２２に具有する凸壁２３を具有し、該凸壁２３の側面に溝２４を設け、該凸壁２３の末端縁と開口部２２の位置は外へ向かって開く斜面２５を呈し（図３、４参照）、斜面２５上に若干の凹溝２６を設ける。
斜面２５及び凹溝２６はレンズ５０を安定して設け、とめ具６０はレンズ５０を緊密に挟合する。
【００１１】
パッド３０はゴーグルと使用者の顔部間に設けられる公知の構造であり、一般にシリコンなど弾性を具有する軟質ラバー物質により構成し、本考案の実施例は上述の作用・効果以外に、アイカップ２０を設けることにより、アイカップ２０は取り外して取り替えることが可能なレンズ５０を安定して設けることができ、また漏水防止の構造である。
【００１２】
図３等に示すように、パッド３０は左右にそれぞれ一つずつに分かれて設けられ、実施時に二つのパッド３０はそれぞれ単一のパッド構造となり、該単一のパッド構造は両目を覆う以外に眼、鼻から口に至るまで覆うことができる形状を呈す。パッド３０上はクッション部３１を具有し、パッド３０の中心は貫通する開口部３２を設ける。クッション３１は顔部と密着し、開口部３２はアイカップ２０と密着する。パッド３０とアイカップ２０の結合位置、並びにフレームの定められた位置への結合は安定状態を呈す（図３参照）。
【００１３】
レンズ５０は使用者の眼部で外部を観察する必要な部材であり、レンズ片５１を具有し、該レンズ片５１の外側縁は斜面５２に加工し、該斜面５２とアイカップ２０の斜面２５はピッタリと対応する状態となり、且つ、斜面５２及びその周りに少なくとも一層のラバー物質又は類似材料のラバー層５３を敷き又は加工し、挟合及び防水の効果を達成する。
また、レンズ５０をアイカップ２０へ取り付け後、レンズ５０は内へ向かって（即ち使用者の眼の方向）圧力がかかり、レンズ５０とアイカップ２０は更に緊密な状態を呈し、反対に仮にレンズ５０を取り外す時は、とめ具６０を取り外し、アイカップ２０の開口部２２内のレンズ５０を外側に向かって力を加えることにより、レンズ５０を取り外すことができ、且つ必要とするレンズ５０と取り替える。
【００１４】
とめ具６０はアイカップ２０の凸壁２３の側面に有する部材に取り付けて取り外すことが可能であり、それによりレンズ５０を更に安定して設け、容易に脱落することが無い効果を達成する。
とめ具６０の構造は主にとめ具部材６１及び凸ブロック６２を含み、該とめ具部材６１上方端は押さえ部６３となっており、とめ具６０がアイカップ２０へ結合し、該押さえ部６３はレンズ５０の少なくとも一部分の周辺縁を圧制する。
【００１５】
図３、４に示すように、実施例の部分の断面図及び部分拡大図である。アイカップ２０とパッド３０間の結合位置はフレーム１０の保護を受け、またとめ具６０の一部分はフレーム１０の保護を受ける。
【００１６】
図４に示すように、レンズ５０外縁の斜面５２とアイカップ２０の斜面２５間の位置へラバー層５３を設け、該ラバー層５３は前述の如く斜面５２に加工するラバー層であり、またライナーでもよく、又はアイカップ２０の斜面２５上に加工するラバー層であり、主に密着防止及び緩衝効果を有する構造となる。
【００１７】
図５に示すように、本考案におけるもう一つの実施例に係り、フレーム体１１´は単一構成であり、アイカップ２０´、パッド３０´、レンズ５０´もまた単一構成であり、とめ具６０´はアイカップ２０´の両側へそれぞれ設け、ヘッドベルト４０´は公知構造であり、上述のゴーグルの構造もまたとめ具６０´を取り外してレンズ５０´を取り外すことが可能であり、レンズ５０´を取り外して取り替えられる目的を達成する。
【００１８】
更に、一歩進んで、本考案の軟質素材のパッド３０、３０´は、アイカップ２０、２０´を覆い、アイカップ２０、２０´上にレンズ４０、４０´及び相関するとめ具６０、６０´を設け、ヘッドベルト４０、４０´は軟質素材のパッド３０、３０´の両側に設け、このようにフレーム部１１、１１´がない構成においても安定してアイカップ上にレンズを設けることが可能である目的を達成する。
なお、本考案のアイカップの構造に関し、該アイカップ上に取り外して取り替えることが可能なレンズを設けることは未だ実施されておらず、また該アイカップの構成特徴は図に示す限りでなく、本考案の特許範囲は実施例の限りではない。
【産業上の利用可能性】
【００１９】
上述により本考案はレンズを取り外して取替え可能なゴーグルの構造を提供する。本考案に用いるフレーム及び軟質素材のパットの間にアイカップを設け、該アイカップはレンズを安定して取り付け、また本考案はレンズとアイカップ間は斜面を呈し、内へ向かって圧力がかかるためレンズが安定性を具有することとなる。また、レンズの周辺縁へラバー層などを設け、緊密着の効果を更に増加する。
【図面の簡単な説明】
【００２０】
【図１】本考案の実施例の立体分解図である。
【図２】本考案の実施例の立体図である。
【図３】本考案の実施例のゴーグルの片側の断面を示す図である。
【図４】図３におけるＡ部の拡大断面図である。
【図５】本考案のもう一つの実施例の立体分解図である。
【符号の説明】
【００２１】
１０、１０´    フレーム
１１    フレーム部
１２    鼻ベルト
１３    開口部
１４    アーム
２０、２０´  アイカップ
２１    本体
２２    開口部
２３    凸壁
２４    溝
２５    斜面
２６    凹溝
３０、３０´  パッド
３１    クッション部
３２    開口部
４０、４０´  ヘッドバンド
４１    バックル
５０、５０´    レンズ
５１    レンズ片
５２    斜面
５３    ラバー層
６０、６０´  とめ具
６１    とめ具部材
６２    凸ブロック
６３    押さえ部
【図１】
0003102848.tif 000002
【図２】
0003102848.tif 000003
【図３】
0003102848.tif 000004
【図４】
0003102848.tif 000005
【図５】
0003102848.tif 000006